(57)【要約】      （修正有）【課題】ケース本体と蓋体とからなる二つ折りタイプの携帯鏡が折り畳まれた状態であっても、ケース本体または蓋体の一部を拡大鏡として使用できる。【解決手段】表面側に凹部２を有するケース本体１と、内面側に鏡板１７を取り付けた蓋体１１とを基部で枢着する。蓋体１１をケース本体１の凹部２に嵌脱自在とする二つ折りタイプの携帯鏡である。少なくともケース本体１は透明体である。そのケース本体１の底面板１Ｃの内面側に中央部が周辺部より厚く形成した凸レンズ作用をなすクリアな円形透視部７を設ける。【選択図】図４
0003107017.tif 000002
【実用新案登録請求の範囲】
【請求項１】
表面側に凹部を有するケース本体と、内面側に鏡板を取り付けた蓋体とを基部で枢着し、蓋体をケース本体の凹部に嵌脱自在とする二つ折りタイプの携帯鏡であって、少なくともケース本体は透明体であり、そのケース本体の底面板の内面側に中央部が周辺部より厚く形成した凸レンズ作用をなすクリアな円形透視部を設けたことを特徴とする携帯鏡。
【請求項２】
ケース本体、蓋体、鏡板の正面形状は、それぞれ方形状に形成されている請求項１に記載の携帯鏡。
【請求項３】
ケース本体、蓋体、鏡板の正面形状は、それぞれ円形状に形成されている請求項１に記載の携帯鏡。
【請求項４】
内面側に鏡板を取り付けたケース本体と、鏡板を被覆する蓋体とを基部で枢着し、その蓋体によって鏡板の上面を開蓋・閉蓋自在とする二つ折りタイプの携帯鏡であって、少なくとも蓋体は透明体であり、その蓋体の適宜位置の内面に中央部が周辺部より厚く形成した凸レンズ作用をなすクリアな円形透視部を設けたことを特徴とする携帯鏡。
【考案の詳細な説明】
【技術分野】
【０００１】
本考案は、ケース本体と蓋体とからなる二つ折りタイプの携帯鏡に関するもので、通常に写る平面鏡として使用できると共に、ケース本体または蓋体に凸レンズ作用をなす透視部を設け、折り畳んだ状態で透視部を覗けば拡大鏡としても使用できる携帯鏡に関するものである。
【背景技術】
【０００２】
従来から、鞄やポケットの中に入れて携帯するコンパクトミラーは、主として、屋外で身だしなみを整えたり、または化粧直しやコンタクトレンズの装着時などに使用し、薄くて小型で軽量であって持ち運びに便利であり、使い勝手がよく女性にとっての必需品であり、外出時には常に携行している。
【０００３】
そのコンパクトミラーは、一般的には合成樹脂製のケース本体の内面側に鏡板を取り付け、その鏡板を被覆する合成樹脂製の蓋体をケース本体の基部でヒンジ連結して開閉自在とする二つ折りタイプのものが知られている。（例えば、特許文献１）
【０００４】
また、逆に合成樹脂製の蓋体の内面側に鏡板を取り付け、その蓋体をケース本体の基部にヒンジ連結してケース本体の凹部に嵌脱自在とする二つ折りタイプのものが知られている。（例えば、特許文献２）
【０００５】
前記特許文献１，２の鏡板は、実寸大の像を写す平面鏡であり、時には顔の中の一部を拡大して写したい時があり、そのような時には適していなかった。例えば、コンタクトレンズ装着時の位置ズレを直す時など、目の部分を拡大して見たいことがあり、その時には不十分であった。
【０００６】
そのような欠点を解消する携帯鏡として、一方のケース本体の内面側に平面鏡を取り付けて通常の大きさの像を写し、他方の蓋体の内面側に凹面鏡を取り付け拡大して写す像の携帯鏡が知られている。（例えば、特許文献３）
【０００７】
【特許文献１】登録実用新案３０６８９９号公報
【特許文献２】実開平３−７２８１４号公報
【特許文献３】実開平５−８８４０８号公報
【考案の開示】
【考案が解決しようとする課題】
【０００８】
しかしながら、上記の特許文献３は、拡大鏡として使用する際には折り畳まれている蓋体を少なくとも９０度回動しなければ凹面鏡が現出して映らなく、蓋体を回動しなければならない煩わしさがあった。また、通常、ケース本体と蓋体の二つ折りタイプの携帯鏡は、ガラス製の鏡体を使用していることから、破損することがあると共に、鏡自体を蓋体に取り付けなければならない面倒さがあった。
【０００９】
本考案は、上記のような問題点を解決することを課題として開発されたもので、通常に写る平面鏡としては勿論のこと、ケース本体と蓋体とからなる二つ折りタイプの携帯鏡が折り畳まれた状態であっても、ケース本体または蓋体の一部を拡大鏡として使用できる商品価値の高い携帯鏡を提供することを目的とするものである。
【課題を解決するための手段】
【００１０】
上記の課題を解決し、その目的を達成する手段として、表面側に凹部を有するケース本体と、内面側に鏡板を取り付けた蓋体とを基部で枢着し、蓋体をケース本体の凹部に嵌脱自在とする二つ折りタイプの携帯鏡であって、少なくともケース本体は透明体であり、そのケース本体の底面板の内面側に中央部が周辺部より厚く形成した凸レンズ作用をなすクリアな円形透視部を設けたことを特徴とする携帯鏡を開発し、採用した。
【００１１】
また、本考案は上記のように構成した携帯鏡において、ケース本体、蓋体、鏡板の正面形状は、それぞれ方形状に形成されている携帯鏡、およびケース本体、蓋体、鏡板の正面形状は、それぞれ円形状に形成されている携帯鏡を開発し採用した。
【００１２】
さらに、本考案は、内面側に鏡板を取り付けたケース本体と、鏡板を被覆する蓋体とを基部で枢着し、その蓋体によって鏡板の上面を開蓋・閉蓋自在とする二つ折りタイプの携帯鏡であって、少なくとも蓋体は透明体であり、その蓋体の適宜位置の内面に中央部が周辺部より厚く形成した凸レンズ作用をなすクリアな円形透視部を設けたことを特徴とする携帯鏡を開発し、採用した。
【考案の効果】
【００１３】
ケース本体の底面板の内面または蓋体の適宜位置の内面に、中央部が周辺部より厚く形成した凸レンズ作用をなすクリアな円形透視部を設けてあるから、ケース本体または蓋体を閉じると対向面にある鏡板との組み合わせによって円形透視部を覗けば、拡大された像を写しだす拡大鏡となり、例えば、顔の目の部分または口の部分などを拡大でき細部の化粧を行う時の拡大ミラーとして使用できて非常に便利になる。かつ、ケース本体または蓋体を閉じた状態のままで使用できるから使い勝手がよい。また、折り畳んでコンパクト化ができるので携帯が容易であることは勿論のこと、通常の大きさの像を写す手鏡として使用し得ると共に、卓上鏡としてもできる利点がある。
【００１４】
中央部が周辺部より厚く形成した凸レンズ作用をなすクリアな円形透視部は、ケース本体または蓋体の成形と同時にできることから、製造が容易になると共に安価で大量生産が可能になり、ガラス製の鏡板のように破損することがない。
【考案を実施するための最良の形態】
【００１５】
以下に、本考案の第１実施の形態を添付図面に基づいて説明すれば、本考案の携帯鏡は、図１〜図５に示すように、大別するとケース本体１と、このケース体１の基部で枢着される蓋体１１と、その蓋体１１の内面に取り付けられる鏡板１７とから構成されている。
【００１６】
上記ケース本体１は、図６、図７に示すように、四角形状の透明合成樹脂板であり、その大きさは、略手のひらに入る程度に形成されており、両側部に蓋体１１の厚さに相当する高さの側壁面１ａ，１ａを立設して、蓋体１１を収容する凹部２を形成してあり、その側壁面１ａ，１ａの端縁を突出させて支持部１ｂ，１ｂを設け、その支持部１ｂ，１ｂには枢軸３，３を挿通させるための通孔４，４が横方向に貫通している。
【００１７】
ケース本体１の底面板１ｃの中心部には円形の凹所５を設け、その凹所５に中央部が周辺部より厚く周辺に向かって徐々に低くなる４００アールの弧状面６を有する円形透視部７を形成して凸レンズの作用をなしている。この円形透視部７はケース本体１を鏡面仕上げされてクリアな透明になっている。
【００１８】
蓋体１１は、図８、図９に示すように、前記ケース本体１の凹部２内に嵌りこむように、凹部２の内寸法と略等しい外寸法からなる四角形状の合成樹脂板で、表面に凹部１２を設けると共に、基部の両側部を除いた幅方向に細長の窪み部１３を形成し、その両側部に前記の枢軸３，３を挿通させるための通孔１４，１４が横方向に貫通しヒンジ部１５を構成している。
【００１９】
また、表面の浅い凹部１２には図１0、図１１に示すように、四角形状の合成樹脂製のフレーム１６が嵌着され、そのフレーム１６の外周面と蓋体１０の周壁の内面とを超音波溶接で溶着され一体化されていると共に、フレーム１６によって四角形状の鏡板１７が収容保持されている。この鏡板１７は透明で平板な板ガラスの裏面に反射面を設けた平面鏡である。
【００２０】
このように構成した第1実施形態の使用状態を作用、効果と共に説明すると、図３の二つ折りされた折り畳み状態で、ケース本体１の背面側から円形透視部７を覗けば、対向面の鏡板１７と円形透視部７の内面に形成した中央部が周辺部より厚く周辺に向かって徐々に低くなる弧状面６との組み合わせにより凸レンズ作用をなし拡大鏡となり、像を拡大して写すことができて便利になる。
【００２１】
また、図１の二つ折りされた状態から蓋体１１を少なくとも１８０度回動すれば、図４に示すように、蓋体１１がケース本体１の上部に位置して、蓋体１１の内面に取り付けられた鏡板２０が現れ、ケース本体１を持てば手鏡になり、鏡板１７に通常の大きさの像を写すことができる。この時、ケース本体１は手の平の中に入る大きさであるから、特に手鏡としての使用が便利になる。
【００２２】
その状態からさらに蓋体１１を９０度以上回動すれば、蓋体１１の基部がケース本体１の基部に受け止められて回動を阻止され、図５に示す傾斜立て鏡として使用でき、通常の大きさの像を写すことができる。この時、ケース本体１の両側壁面１ａ，１ａが台や机の接地面に接地するので安定した姿勢を保持する卓上鏡になる。
【００２３】
図１３〜図１４に示すのは本考案の第２実施の形態を示すもので、上記第１実施の形態と相違しているのは、ケース本体１、蓋体１１、鏡板１７の形状を略円形に形成した点のみであって、その材質及びその他の構成並びに作用効果は同一であるから、同一部分には同一符号を付し、かつ構成ならびに作用、効果については、図示および説明するのを省略した。
【００２４】
つぎに、図１５〜図１７に示すのは本考案の第３実施の形態を示しており、第１、２実施の形態では手の平の中に入る比較的小さな携帯鏡で、ケース本体１に凸レンズ作用をなす円形透視部７を設けた例であったが、この第３実施の形態では比較的大きな携帯鏡であり、蓋体３１の適宜位置の内面に凸レンズ作用をなす円形透視部２７を設けた場合である。
【００２５】
すなわち、ケース本体２１は比較的大きな四角形状の合成樹脂板であり、その表面凹部２２に四角形状のフレーム３６を嵌着し、そのフレーム３６に四角形状の鏡板３７を収容保持してある。
【００２６】
ケース本体２１の両側壁面２１ａ，２１ａはその端縁を突出させて支持部２１ｂ，２１ｂを設け、その支持部２１ｂ，２１ｂには枢軸２３，２３を挿通させるための通孔２４，２４が横方向に貫通している。
【００２７】
蓋体３１は四角形状の透明合成樹脂板で、基部の両側部に前記の枢軸２３，２３を挿通させるための通孔２４，２４が横方向に貫通しヒンジ部３５を構成し、鏡面板３７の上面を開閉自在に枢着されている。
【００２８】
蓋体３１は透明合成樹脂板であり、その蓋体３１の右上部の内面側に適宜径の円形の凹所２５を設け、その凹所２５に中央部が周辺部より厚く周辺に向かって徐々に低くなる弧状面２６を有する円形透視部２７を形成して凸レンズの作用をなしている。この円形透視部２７は鏡面仕上げされてクリアな透明になっている。
【００２９】
このように構成した第３実施の形態の使用状態を作用効果と共に説明すれば、蓋体３１を閉じた状態の時に、蓋体３１の右上部の円形透視部２７を覗けば、対向面の鏡板３７と円形透視部２７の内面に形成した中央部が周辺部より厚く周辺に向かって徐々に低くなる４００アールの弧状面２６とにより凸レンズ作用をなし拡大鏡となり、顔の一部を拡大して見たいときに便利になる。
【００３０】
図１６の蓋体３１を閉じた状態から蓋体３１を開けると蓋体３１は図１７に示すように略３２０度回動し、ケース本体２１を持てば手鏡になり、鏡板３７に通常の大きさの状態で顔を写すことができる。そして、その蓋体３７の内面板を机や台の上に置いて使用すれば卓上鏡としても通常の大きさの状態で顔を写すことができる。
【００３１】
以上、本考案の主要な実施例について説明したが、本考案はこれらの実施例に限定されるものではなく、本考案の目的を達成でき、かつ考案の要旨を逸脱しない範囲内で種々設計変更が可能であり、それらも全て本考案の範囲内に包含されるものである。
【産業上の利用可能性】
【００３２】
本考案はコンパクトミラーだけでなく、比較的大きな鏡の場合でも、且つ円形に限らず楕円形、四角形、六角形などにでも利用できるものである。
【図面の簡単な説明】
【００３３】
【図１】本考案の第１実施の折り畳んだ状態の正面図である。
【図２】図１のＡ−Ａ線断面図である。
【図３】拡大鏡として使用する場合の正面図である。
【図４】蓋体を起立して手鏡とした状態の正面図である。
【図５】卓上鏡とした状態の側面図である。
【図６】ケース本体の正面図である。
【図７】図６のＢ−Ｂ線断面図である。
【図８】蓋体の正面図である。
【図９】図８のＣ−Ｃ線断面図である。
【図１０】フレームの正面図である。
【図１１】図１０のＤ−Ｄ線断面図である。
【図１２】鏡板の正面図である。
【図１３】本考案の第２実施の折り畳んだ状態の正面図である。
【図１４】図１３のＥ−Ｅ線断面図である。
【図１５】本考案の第３実施の正面図である。
【図１６】図１５のＦ−Ｆ線断面図である。
【図１７】蓋体を開放した状態の縦断側面図である。
【符号の説明】
【００３４】
１，２１      ケース本体
２，２２      凹部
７，２７      円形透視部
１１，３１    蓋体
１７，３７    鏡板
【図１】
0003107017.tif 000003
【図２】
0003107017.tif 000004
【図３】
0003107017.tif 000005
【図４】
0003107017.tif 000006
【図５】
0003107017.tif 000007
【図６】
0003107017.tif 000008
【図７】
0003107017.tif 000009
【図８】
0003107017.tif 000010
【図９】
0003107017.tif 000011
【図１０】
0003107017.tif 000012
【図１１】
0003107017.tif 000013
【図１２】
0003107017.tif 000014
【図１３】
0003107017.tif 000015
【図１４】
0003107017.tif 000016
【図１５】
0003107017.tif 000017
【図１６】
0003107017.tif 000018
【図１７】
0003107017.tif 000019